(57)【特許請求の範囲】
【請求項１】
自動入退場装置の入場者用画面と退場者用画面の表示を精算装置の同一画面上に切換表示するとき、入場者が有するカード等の記録媒体のデータがその読出し部で読出されることを条件に前記画面にその入場者に提供可能なサービスや商品の内容を示す案内画面とこれらサービス等の要否を選択させる操作画面を表示させ、退場者が有する記録媒体のデータがその読出し部に読出されることを条件に前記画面にその退場者が提供を受けたサービスや商品の内容と精算金額を示す案内画面と当該画面の表示内容に了解するか否かを求める操作画面を表示させることを特徴とする自動入退場装置における入場者用画面と退場者用画面との切換表示方法。
【請求項２】
入場者向けの画面と退場者向けの画面が精算装置の同一の画面に選択的に切換表示されるように形成された自動入退場装置において、入場者が有するカード等の記録媒体のデータをその読出し部に読出した信号に基づいてその入場者に提供可能なサービスや商品の内容を示す案内画面とこれらサービス等の要否を選択させる操作画面を前記入場者に表示する一方、退場者が有する記録媒体のデータをその読出し部に読出した信号に基づいてその退場者が提供を受けたサービスや商品の内容と精算金額を示す案内画面と当該画面の表示内容に了解するか否かを求める操作画面を前記退場者に表示するように形成したことを特徴とする画面自動切換入退場装置。
【請求項３】
入場者が有する記録媒体は、下足等のロッカー用のキーに付けられたバーコード等のデータを記録したもの、並びに、退場者が有する記録媒体は衣服ロッカー用のキーに付けられたバーコード等のデータを記録したものである請求項２の画面自動切換式入退場装置。
【請求項４】
記録媒体はカード状又はスティック状である請求項２又は３の画面自動切換式入退場装置。
【請求項５】
記録媒体に記録されたデータは、印字データ，光データ，磁気データのいずれかである請求項２〜４のいずれかの画面自動切換式入退場装置。
【発明の詳細な説明】
【０００１】
【発明の属する技術分野】
本発明は、いわゆる都市型サウナや健康ラウンド或は複合レジャー施設などのように、有料でサービス等の提供をする施設（以下、サービス提供施設）において、その施設の入退場口に設置し、入場者に対しては入場時の手続などの案内画面、又は、その案内画面と操作画面を自動的に表示する一方、退場者に対しては退場時に必要な精算などに関する案内画面、又は、その案内画面と操作画面を自動的に表示させるようにした画面自動切換式の自動入退場装置に関する。
【０００２】
【従来の技術】
一般に、いわゆる都市型サウナ等のような有料のサービス提供施設では、不特定多数の者がランダムに入場し、また、この施設内でサービス等を受けた者もランダムに退場する。
【０００３】
このような入，退場者に関し、入場者については入場料などの支払いを受けたり、場内で使用する用品や備品などの貸出などを行う一方、退場者についてはサービス料金等の精算をしたり、貸出した備品などの返却をしてもらうなどの手続が不可欠である。
【０００４】
従来より、夫々の入，退場者に対する上記のような手続を省力化するため、入，退場者の各本人に夫々に入，退場手続をさせるようにしたコンピュータを主体とする自動入退場装置が提案されており、この中には実用にも供されているものもある。
【０００５】
本出願人が先に提案した自動入退場装置は、施設側の係員がこの装置を操作することにより、入場者に対しては入場手続を表示した案内画面、又は、その案内画面とタッチパネルになった操作画面を提示し、また、退場者に対しては退場手続を表示した案内画面、又は、その案内画面と操作画面を提示するという具合に、その施設の係員が入退場者向けにいちいち画面の切換え操作を行うようになっている。なお、操作画面に代えてテンキーボード等の入力操作パネルなどを設けたものもある。
【０００６】
しかし、係員が夫々の入，退場者ごとに自動入退場装置の画面を、マニュアル操作で切換えることは、煩雑であって省力的でないのみならず、仮にも入場者と退場者とを勘違いすると、提示した画面がその画面の前に立つ入場者又は退場者の役に立たないこととなり、その入，退場者が対応が出来なかったり混乱したりするなど、却って手間取ってしまうという問題が残っている。
【０００７】
【発明が解決しようとする課題】
本発明は上述した自動入退場装置における問題が全く生じない、つまり、入場者には必らず入場者向けの画面が自動的に提示され、退場者には必らず退場者向けの画面が自動的に提示されるようにした画面の自動切換方法と、この方法による画面切換機能を具備した自動入退場装置を提供することを、その課題とするものである。
【０００８】
【課題を解決するための手段】
上記課題を解決することを目的としてなされた本発明入退場装置の自動画面切換方法は、自動入退場装置の入場者用画面と退場者用画面の表示を精算装置の同一画面上に切換表示するとき、入場者が有するカード等の記録媒体のデータがその読出し部で読出されることを条件に前記画面にその入場者に提供可能なサービスや商品の内容を示す案内画面とこれらサービス等の要否を選択させる操作画面を表示させ、退場者が有する記録媒体のデータがその読出し部に読出されることを条件に前記画面にその退場者が提供を受けたサービスや商品の内容と精算金額を示す案内画面と当該画面の表示内容に了解するか否かを求める操作画面を表示させることを特徴とするものである。
【０００９】
また、上記切換方法を用いた本発明入退場装置の構成は、入場者向けの画面と退場者向けの画面が精算装置の同一の画面に選択的に切換表示されるように形成された自動入退場装置において、入場者が有するカード等の記録媒体のデータをその読出し部に読出した信号に基づいてその入場者に提供可能なサービスや商品の内容を示す案内画面とこれらサービス等の要否を選択させる操作画面を前記入場者に表示する一方、退場者が有する記録媒体のデータをその読出し部に読出した信号に基づいてその退場者が提供を受けたサービスや商品の内容と精算金額を示す案内画面と当該画面の表示内容に了解するか否かを求める操作画面を前記退場者に表示するように形成したことを特徴とするものである。
【００１０】
本発明において入場者が有する記録媒体は、下足等のロッカー用のキーに付けられたバーコード等のデータを記録したカードなどであり、また退場者が有する記録媒体は衣服ロッカー用のキーに付けられたバーコード等のデータを記録したカードなどである。なお、記録媒体はカード状，棒状など記録専用の部材、或は、キーの掴み部分に記録するなどその部材や形態は任意である。また、この記録媒体に記録されるデータもバーコードのような印字タイプのデータに限られるものではなく、光データや磁気データであってもよい。データの種類に応じてその読取り部（リーダ）を選択して取付ければ足りるからである。
【００１１】
【発明の実施の形態】
次に図に拠り本発明入退場装置の実施の形態例について説明する。図１は本発明入退場装置を設置した、例えば都市型サウナのようなサービス提供施設の模式的な平面図、図２は本発明入退場装置の一例の斜視図、図３は本発明入退場装置の構成の一例を示すブロック図、図４は精算装置における画面切換のフロー図である。
【００１２】
図１に例示したサービス提供施設ＳＨは、入口ＩＮを入った所に受付カウンタ等で形成されたフロント１が設置され、本発明入退場装置の一例として、精算装置２が少なくとも１台以上配置されている。入場者はこの施設ＳＨの入口ＩＮを入って下足ロッカー３に行き、自分の履物をそのロッカー３に入れて施錠し、下足ロッカーキー3Kを持ってフロント１のカウンターに併設された精算装置２の前に行き、下足ロッカーキー3Kに付されたカード3Cのバーコード等のキーコードを精算装置２のメインコンピュータ2Aに接続されたスキャナ2Bに読取らせる。この読取りによって、当該入場者がメインコンピュータ2Aへ特定の入場者として識別コード登録が行われる。
【００１３】
上記によりスキャナ2Bが前記カード3Cのデータを読取ると、この装置２の画面には所定の入場料（具体的には、入浴料や入泉料と称されることがある）や貸タオル等の要否などを示す入場者向けの案内画面2Cと、貸タオル等の要否を選択させるタッチパネル式の操作画面2Dが表示される。図において、両画面2C，2Dは並列的に表示される態様としたが、両画面2C，2Dはシリーズ的（順番に）に表示するようにしてもよい。ここで入場者は貸タオルの要否などを操作画面2Dで選択すると、画面2Cには、入場料と貸タオル料金等とその合計額が表示されるので、表示内容を是と確認したこの入場者は前記合計額を精算装置２の現金投入口2Eに投入し、そのレシートR1を精算装置２のシート口2Fから受けとる。このレシートR1には、この入場者の識別コードとなるカード3Cのコードデータと、このデータに紐付けされた前記投入金額のデータとがプリントされる。
【００１４】
入場料等の支払いを行い入場レシートR1を受け取った入場者はフロント１のカウンターに行き、係員にそのレシートR1とロッカーキー3Kを渡す。レシートR1を受け取った係員は、このレシートR1により入場料等の支払いが済んだことを確認して各入場者に対して衣服ロッカー４のロッカーキー4Kを渡す。この衣服ロッカーキー4Kは、各入場者ごとに前記の下足ロッカーキー3Kと対応関係が付されており、従って、下足ロッカーキー3Kのコードと同一コードが当該衣服ロッカーキー4Kにも付与されている。これにより各入場者が夫々の下足ロッカーキー3KとレシートR1をフロント１の係員に預け衣服ロッカーキー4Kを受取けとることにより、前記の同一コードをその入場者の識別コードとする入店登録が完了する。
【００１５】
各入場者に対する上記の入店登録においては、夫々の下足ロッカー用キー3Kと衣服ロッカー用キー4Kに予め付与された同一コードによる入場者の識別コードと、このコードによって夫々が特定のコードにより識別される各入場者が入店に際し支払った金額データとがセットになって、前記コンピュータ2Aのデータベースに格納される。
【００１６】
ここで、前記コンピュータ2Aに接続されたスキャナ2Bは、下足用ロッカー用キー3Kに付帯したカード3Cに記載されたバーコードを、このキー3Kを使用する入場者の識別コードとして読み取るほか、この識別コードとは別に下足ロッカー用キー3Kのカード3Cに付された「入場コード」を読取り、これを前記精算装置２における画面2C，2Dを入場者用に切換えるトリガー信号形成のための信号とする。
【００１７】
上記のようして入場手続が完了した各入場者は、衣服着替え用のロッカー４を設置したロッカールームに入り、脱衣をしたり、或は、この施設ＳＨを利用するための服装に着替える。ここで、衣服ロッカーキー4Kに付帯したカード4Cに記録された入場者識別のためのコード、つまり、各入場者の識別コードと各入場者が入場時に支払った金額データ（初期設定される金額情報）とは、紐付けされた一つのデータとして夫々の入場者ごとに、前記コンピュータ2Aのデータベースに蓄積され、この施設ＳＨ内にある有料のサービスや商品の提供部門、図示しないが一例としてサウナコーナやマッサージコーナ、或は、飲食コーナなどの各サービスコーナーを各入場者が利用する都度に、利用した夫々の入場者についての前記識別コードと提供されたサービスの料金情報が、各サービスコーナにおける入力装置から入力され、前記コンピュータ2Aに提供される。なお、各サービスコーナーでの入力装置は、図示しないが、それぞれにスキャナ，入力用キーボード，ＣＰＵなどを主体に形成されている。また、各コーナーの入力装置には、入力データを無線によりコンピュータ2Aに発信する形式のものもあり、この場合のコンピュータ2Aにはこれらの無線データを入力する機能が具備される。
【００１８】
ここで、上記ロッカーキー4Kに付帯したカード4Cには、入場の者識別コードと共に、精算装置２の画面を退場時の画面に切換えるための「退場コード」が記録されている。これらのコードの記録形態の一例として当該キー4Kのリストバンド（図示せず）に付けた名札状のカードに印刷等によるバーコードによる記録がある。このバーコードは、図示しないが、各サービスコーナーに配置された入力装置のスキャナに読取らせることにより行っている。なお、前記コードの記録形態は、バーコード以外の、例えば磁気コードや光コードなどのコードであってもよく、その場合のスキャナには記録されたコードを判読する機能を有するものを用いればよい。
【００１９】
上記のようにして、各サービスコーナにおいて、所望のサービスや商品の提供を受けた各入場者は、退場（出店）に際してフロント１のカウンターに設置した精算装置２の前に行き、衣服ロッカーキー4Kのカード4Cを精算装置２のスキャナ2Bに読取らせる。
【００２０】
衣服ロッカーキー4Kのカード4Cのコードをスキャナ2Bが読取ると、この精算装置２はその画面2C，2Dをその退場者用の画面に切換えて表示する。即ち、このカード4Cには入場者識別コードに加え、前記画面2C，2Dを退場者用の画面に切換えトリガー信号を形成するためのバーコードが印字されているので前記画面は自動的に退場者用に切替わるのである。そして、この精算装置２の表示部には、前記スキャンニングにより読取られた各入場者の識別コードと夫々の入店時に支払われた金額情報、並びに、各コーナで提供されたサービスの内容やサービスの名称とその対価を示す金額情報が、コンピュータ2Aのデータベースから供給されて、表示画面2C，2Dに表示される。
【００２１】
従って、退場しようとする者は、その者に対する表示画面2C，2Dにおいて操作部となる操作画面2Dのタッチパネルをタッチすると、表示画面2Cに入店時の支払金額が表示される一方、この施設ＳＨ内で提供を受けた各サービスや商品に対する料金の累計額の演算がコンピュータ2Aにより実行され、その演算金額と前記支払金額とが比較演算されて精算金額情報のデータがこの精算装置２の表示画面2Cに表示される。
【００２２】
演算結果が表示画面2Cに表示されると、精算すべき退場者は上記精算装置２の画面2Cの表示を見て、この施設ＳＨ内で提供を受けた（又は購入した）各サービスや商品の内容や名称と各料金を確認し、間違いなければ、操作画面2Dにおける、例えば「ＯＫ」の表示部分をタッチする。なお、このタッチによって確認した精算情報はカウンター内の係員の側にも設けられた表示画面（図示せず）に表示されるものとする。
【００２３】
上記の演算結果に基づいて画面2Cに表示される精算情報は、入場時に支払った金額（初期設定金額）と利用金額を相殺した精算金額が、(イ)精算額ゼロ、(ロ)支払額不足、(ハ)支払額余剰のいずれかであるので、退場者は「不足」の場合にはその不足金額を精算するために不足金額をこの精算装置２における現金投入口2Eに入れることにより上記(イ)の表示を得て精算を完了する。
【００２４】
精算金額が「余剰」の場合には、余剰金額が釣銭（又は返金）として、この精算装置２において精算する退場者の側に向けて配置されたつり銭口2Gに払出され、前記画面2Cの表示が前記(イ)の精算額ゼロになり、精算は完了する。
【００２５】
上記のようにして表示画面2Cで精算金額がゼロの表示になると、それが精算レシートR2として精算機構におけるレシート口2Fにプリントアウトされるので、各退場者は、このレシートR2を係員に見せて衣服ロッカー用キー4Kを係員に返却する。なお、上記の精算装置２における精算データ（不足金の投入データ、余剰金の返却データ）は、コンピュータ2Aの記憶部に格納されるものとする。また、以上に説明した精算装置２における画面2C，2Dの切換えは、図４に示すフローに従って進行する。
【００２６】
上記説明において、精算装置２における現金の出入れを行いレシートを発行する精算機構と、案内画面2Cと操作画面2Dを含む表示部とは、夫々に一対一の対応関係のものであったが、本発明では２台以上の表示部を一台の精算機構に接続し、複数の表示部をそれより少ない精算機構によりコントロールするようにも形成できる。また、２つの画面2C，2Dは、図の例では一つの表示部に並べて表示する構成としているが、２つの画面2C，2Dは、前記表示部に順番に表示するようにしてもよく、いずれの表示形態とするかは、任意である。
【００２７】
以上のようにして精算を済ませた退場者は、フロント１でその衣服ロッカーキー4Kを係員に返却し、この返却を承けて係員はその退場者から入場時に預かっていた下足ロッカー用キー3Kを当該退場者に渡す。下足ロッカーキー3Kを受け取った退場者は、自分の靴等の履物をその下足ロッカー３から取出して履き、この施設ＳＨの出口ＯＵＴから出ることになる。
【００２８】
【発明の効果】
本発明は以上の通りであって、複数種類のサービスを有料で提供する施設において、入場者と退場者が、入場時のキーに付いたバーコードなどのデータ付カードを精算装置のスキャナに読取らせると精算装置の画面がその入場者に提供可能なサービスや商品の内容を示す案内画面とこれらサービス等の要否を選択させる操作画面になり、退場時のキーに付いたバーコードなどのデータ付カードを前記スキャナに読取らせると前記精算装置の画面がその退場者が提供を受けたサービスや商品の内容と精算金額を示す案内画面と当該画面の表示内容に了解するか否かを求める操作画面になるようにしたので、入場者，退場者ごとに係員がいちいち手で切換えていた画面表示を自動的に行うことができることとなり、きわめて合理的である。
【００２９】
また、入，退場者が夫々に自分で精算装置へ現金の出入れを行うだけで精算でき、係員は現金を直接に取扱うことなく自動的かつ機械的に精算を行うので、人が介在することによる計算ミスや現金の遺失などのトラブルは生じない。従って、本発明精算装置によれば、精算専用の係員がいなくても済むので、そのための人的コストを削減でき、また、対面精算に起因する種々のトラブルの発生が無くなるので、精算業務の省力化，効率化を図ることができる。
【図面の簡単な説明】
【図１】本発明入退場装置を設置した、例えば都市型サウナのようなサービス提供施設の模式的な平面図。
【図２】本発明入退場装置の一例の斜視図。
【図３】本発明入退場装置の構成の一例を示すブロック図。
【図４】精算装置における画面切換のフロー図。
【符号の説明】
１          フロント
２          精算装置
2A          コンピュータ
2B          スキャナ
2C          案内画面
2D          操作画面
2E          現金投入口
2F          レシート口
2G          つり銭口
R1          入場時のレシート
R2          退場時の精算レシート
３          下足ロッカー
3K          下足ロッカー用キー
3C          キー3Kのカード
４          衣服ロッカー
4K          衣服ロッカー用キー
4C          キー4Kのカード
【図１】
0003598276.tif 000002
【図２】
0003598276.tif 000003
【図３】
0003598276.tif 000004
【図４】
0003598276.tif 000005